(57)【特許請求の範囲】
【請求項１】
緊張力が導入された状態で両端が構造部材に定着され、一部又は全部が構造部材外に張架された緊張材の緊張力を解放する装置であって、
緊張力が導入された前記緊張材に取り付けられ、該緊張材の軸線方向に間隔をおいて互いに対峙するように配置される２つの中間定着ブロックと、
前記中間定着ブロックの双方を、互いに接近する方向へ移動するのを拘束するように前記緊張材に対して固定する固定手段と、
対峙する前記中間定着ブロックを互いに連結する連結手段と、を有し、
前記連結手段は、２つの前記中間定着ブロックを互いに接近させる方向に力を作用させ、２つの前記中間定着ブロック間で前記緊張材の緊張力が解放又は低減された状態で前記中間定着ブロックの相互間の間隔を保持することができるとともに、２つの前記中間定着ブロック間で前記緊張材が切断された後は、２つの前記中間定着ブロックが互いに離れる方向に移動するのを許容するものであることを特徴とする緊張材の緊張力解放装置。
【請求項２】
前記緊張材は、複数の鋼線又は鋼より線を束ねたものであり、
前記中間定着ブロックには、前記鋼線又は鋼より線のそれぞれが挿通される貫通孔が別個に設けられ、
前記鋼線又は鋼より線は、緊張力が導入される前に、前記貫通孔に挿通されるものであることを特徴とする請求項１に記載の緊張材の緊張力解放装置。
【請求項３】
前記固定手段は、前記緊張材が挿通されたリング状部材と、該リング状部材と前記緊張材との間に押し入れられる楔とを含むものであることを特徴とする請求項１又は請求項２に記載の緊張材の緊張力解放装置。
【請求項４】
前記連結手段は、前記中間定着ブロックのそれぞれに設けられた連結用孔に挿通される鋼棒と、該鋼棒のねじ切り部に螺合されたナットとを含み、
前記鋼棒は、前記緊張材の周囲に複数本が配置されるものであることを特徴とする請求項１、請求項２又は請求項３に記載の緊張材の緊張力解放装置。
【請求項５】
前記固定手段は、複数の部材が前記緊張材を囲むように配置され、一体となるように連結された楔受け部材と、該楔受け部材と前記緊張材との間に押し入れられる楔とを含むものであり、
前記中間定着ブロックは、すでに緊張力が導入されている前記緊張材の軸線回りに装着して、前記固定手段に当接されるものであることを特徴とする請求項１に記載の緊張材の緊張力解放装置。
【請求項６】
緊張力が導入された状態で両端が構造部材に定着され、一部又は全部が構造部材外に張架された緊張材の緊張力を解放する方法であって、
互いに連結することができる２つの中間定着ブロックを、前記緊張材の軸線方向に間隔をおいて互いに対峙させて配置する工程と、
緊張力が導入された前記緊張材に対して、前記中間定着ブロックの双方を、互いに接近する方向へ移動するのを拘束するように固定する工程と、
対峙する前記中間定着ブロックを互いに連結し、これらの中間定着ブロックを互いに接近させる方向に力を作用させて２つの前記中間定着ブロック間で前記緊張材の緊張力が解放又は低減された状態とし、この状態で前記中間定着ブロックの相互間の間隔を保持する工程と、
２つの前記中間定着ブロック間で前記緊張材を切断する工程と、
２つの前記中間定着ブロックを互いに連結した状態で、互いに離れる方向に移動させる工程と、を含むことを特徴とする緊張材の緊張力解放方法。
【請求項７】
前記中間定着ブロックを前記緊張材に対して固定する工程は、２つの前記中間定着ブロック間にあらかじめ装着されている２つのリング状部材を、前記中間定着ブロックの互いに対向する面に当接し、それぞれのリング状部材と前記緊張材との間に、前記中間定着ブロックとの当接部の反対側から楔を押し入れるものであることを特徴とする請求項６に記載の緊張材の緊張力解放方法。
【請求項８】
前記中間定着ブロックを固定する工程は、複数に分割された楔受け部材の分割部分を、既に緊張力が導入されている前記緊張材の周囲を囲むように配置し、これらを一体に連結した後に、前記緊張材と前記楔受け部材との間に楔を押し込んで前記楔受け部材を前記緊張材に固定し、前記中間定着ブロックを前記楔受け部材に係止するものであることを特徴とする請求項６に記載の緊張材の緊張力解放方法。
【発明の詳細な説明】
【技術分野】
【０００１】
本発明は、緊張力が導入された状態の緊張材から緊張力を解放する緊張力解放装置及び緊張力解放方法に関するものである。
【背景技術】
【０００２】
プレストレストコンクリート構造物は、コンクリート部材内又はコンクリート部材に沿って緊張材を配置する。そして、この緊張材に緊張力を導入し、端部をコンクリート部材に定着することによってコンクリートにプレストレスを導入している。このような緊張材には、コンクリート構造物の構築中に緊張力を導入し、構造物の完成時には緊張力を解放するものがある。例えば、ラーメン構造のプレストレストコンクリート橋（以下「ＰＣ橋」という）を橋脚の上部から両側へ施工ブロックごとに順次張り出しながら構築する張り出し架設工法では、橋脚付近における橋桁の上部に仮設ケーブルとして完成時に緊張力を解放する緊張材が配置されることがある。つまり、ラーメン橋では完成時における構造系と架設時における構造系とが相違することから、橋脚付近の橋桁に作用する曲げモーメントが完成時と架設時とで大きく異なり、完成時に過剰なプレストレスを解放することが行われる。また、プレストレストコンクリートの橋桁を押し出し工法で架設するときにも、橋桁を支持する位置が押し出し工程の進行にともなって変動するため、緊張力を解放する仮設ケーブルが用いられることが多い。
【０００３】
このように緊張材に緊張力が導入されて一旦構造部材に定着された後、緊張力を解放する方法としては、次のようなものが知られている。
図１２に示す方法は、橋桁１０１を構築するときに、緊張材１０２が定着された位置の後方部分つまり緊張材端部の緊張用ジャッキ１０３が装着される部分に切り欠き１０４を設けておく。そして、緊張力を解放するときには、この切り欠き内で緊張用ジャッキ１０３を緊張材に装着し、緊張材１０２を牽引して定着具の負荷を解放する。この状態で定着具の楔の除去を行い又はナットを緩めて緊張材１０２の緊張力を解放する。
図１３に示す方法は、床版上に緊張材を定着するための定着突起部１１１を形成しておき、緊張材１１２をこの定着突起部１１１で定着する。橋桁の完成後には、この定着突起部に緊張用ジャッキ１１３を装着し、同様に緊張力を解放する。緊張力の解放後は、コンクリートの定着突起部をはつり取る。
【０００４】
また、特許文献１に記載の方法は、上床版内で橋軸方向に配置された緊張材の端部をコンクリート部材外つまり上床版の上方に引き出して配置する。そして、該緊張材と反対側に伸長するように配置された他の緊張材の端部も同様にコンクリート部材外に引き出しておき、これらの緊張材の端部を一つの一体型の定着具に定着する。つまり、一体型の定着具に、反対方向に伸長された二つの緊張材の反力を負荷して互いに相殺させる。これにより２本の緊張材は一体型の定着具を介して連結された状態となって双方の緊張材に緊張力が導入される。緊張力を解放するときには上床版上で一体型の定着具に緊張用ジャッキを装着し、緊張材を牽引することにより定着具の負荷を解放する。これにより、緊張材の緊張力を解放することができる。
【０００５】
一方、緊張材は上述のようにコンクリート部材にプレストレスを挿入する場合の他に、構造部材間に張架されて、その緊張力によって構造物を支持するために用いられることがある。例えば、橋桁等から斜め方向に吊り支持する場合の斜吊り材、吊り橋の主ケーブルから桁を吊り支持する吊り材、及び下路式アーチ橋の桁をアーチリブから吊り支持する吊り材等がある。これらの緊張材は、経年劣化の補修や補強のために交換を要することがあり、これらの緊張材の撤去にあたって緊張力を解放する必要が生じる。
【先行技術文献】
【特許文献】
【０００６】
【特許文献１】特開２００４−６８３３２号公報
【発明の概要】
【発明が解決しようとする課題】
【０００７】
しかしながら、上述のような緊張材の緊張力を解放するのに、次のような課題がある。
図１２に示す方法では、緊張用ジャッキを緊張材に装着するために大きな切り欠きを形成する必要があり、橋桁の断面がこの部分で縮小されることになる。このため、この部分の耐力が低下するという問題がある。また、鉄筋やＰＣ鋼材を密に配置した橋桁を構築する場合は、鉄筋や緊張材と干渉して緊張用ジャッキを配設するスペースを確保することが困難となる。
図１３に示すように、上床版上に定着突起部を形成する場合は、定着突起部の構築や撤去が必要となり、施工工程が増加する。そして、これにともなうコストが増大するという問題が生じる。
【０００８】
また、特許文献１に記載されている技術では、緊張力を解放するために上床版の上側に引き出された緊張材に装着できるジャッキを用いる必要がある。緊張材として複数の鋼より線を束ねたものを用いる場合等には、大きな緊張力を導入することができる大型の緊張用ジャッキが用いられる。このような大型の緊張用ジャッキを、緊張力を解放するときにも準備する必要があり、作業の効率が悪くなっている。
【０００９】
一方、構造部材を吊り支持する緊張材では、予め緊張力を解放することが想定されていない場合が多い。このような条件で、構造物を安全な状態に維持しながら構造部材を吊り支持している緊張材の緊張力を解放し、緊張材を取りはずすことが要求される。
【００１０】
本発明は、このような事情に鑑みてなされたものであり、その目的は、緊張材に導入された緊張力を簡易な装置で容易に解放できる緊張力解放装置及び緊張力解放方法を提供することである。
【課題を解決するための手段】
【００１１】
上記課題を解決するために、請求項１に係る発明は、  緊張力が導入された状態で両端が構造部材に定着され、一部又は全部が構造部材外に張架された緊張材の緊張力を解放する装置であって、  緊張力が導入された前記緊張材に取り付けられ、該緊張材の軸線方向に間隔をおいて互いに対峙するように配置される２つの中間定着ブロックと、  前記中間定着ブロックの双方を、互いに接近する方向へ移動するのを拘束するように前記緊張材に対して固定する固定手段と、  対峙する前記中間定着ブロックを互いに連結する連結手段と、を有し、  前記連結手段は、２つの前記中間定着ブロックを互いに接近させる方向に力を作用させ、２つの前記中間定着ブロック間で前記緊張材の緊張力が解放又は低減された状態で前記中間定着ブロックの相互間の間隔を保持することができるとともに、２つの前記中間定着ブロック間で前記緊張材が切断された後は、２つの前記中間定着ブロックが互いに離れる方向に移動するのを許容するものであることを特徴とする緊張材の緊張力解放装置を提供する。
【００１２】
この緊張力解放装置では、連結手段によって２つの中間定着ブロックを互いに接近させる方向に力を作用させると、２つの中間定着ブロック間の緊張材の緊張力が連結手段に負荷されて、緊張材の中間定着ブロック間の緊張力が解放又は低減される。そして、この緊張力が解放又は低減されることにより、２つの中間定着ブロック間で緊張材を切断することができる。その後、２つの中間定着ブロックを互いに離れる方向に移動させることにより、緊張材の緊張力が解放される。
【００１３】
請求項２に係る発明は、請求項１に記載の緊張材の緊張力解放装置において、  前記緊張材は、複数の鋼線又は鋼より線を束ねたものであり、  前記中間定着ブロックには、前記鋼線又は鋼より線のそれぞれが挿通される貫通孔が別個に設けられ、  前記鋼線又は鋼より線は、緊張力が導入される前に、前記貫通孔に挿通されるものとする。
【００１４】
この緊張力解放装置では、中間定着ブロックに、緊張材である鋼線又は鋼より線を確実に固定することが可能となる。また、個々の鋼線又は鋼より線を小さな部材で固定することができ、作業の効率が良好となる。
【００１５】
請求項３に係る発明は、請求項１又は請求項２に記載の緊張材の緊張力解放装置において、  前記固定手段は、前記緊張材が挿通されたリング状部材と、該リング状部材と前記緊張材との間に押し入れられる楔とを含むものとする。
【００１６】
この緊張力解放装置では、緊張力がすでに導入された鋼線又は鋼より線を簡単な構造で確実かつ効率よく中間定着ブロックに固定することができる。
【００１７】
請求項４に係る発明は、請求項１、請求項２又は請求項３に記載の緊張材の緊張力解放装置において、  前記連結手段は、前記中間定着ブロックのそれぞれに設けられた連結用孔に挿通される鋼棒と、該鋼棒のねじ切り部に螺合されたナットとを含み、  前記鋼棒は、前記緊張材の周囲に複数本が配置されるものとする。
【００１８】
この装置では、緊張材の周囲に配置された複数の鋼棒にジャッキを装着して緊張することにより安定した状態で２つの中間定着ブロックに、互いに接近する方向の力を付与することができる。また、緊張材の緊張力は複数の鋼棒に分担して負荷され、小さなジャッキを用いて緊張材の緊張力を中間定着ブロック間で解放又は低減することができる。
【００１９】
請求項５に係る発明は、請求項１に記載の緊張材の緊張力解放装置において、  前記固定手段は、複数の部材が前記緊張材を囲むように配置され、一体となるように連結された楔受け部材と、該楔受け部材と前記緊張材との間に押し入れられる楔とを含むものであり、  前記中間定着ブロックは、すでに緊張力が導入されている前記緊張材の軸線回りに装着して、前記固定手段に当接されるものとする。
【００２０】
この装置では、緊張材にすでに緊張力が導入されている場合においても、その後に中間定着ブロックを緊張材に対して固定し、２つの中間定着ブロック間の緊張力を解放してこの部分における緊張材を切断、及び緊張材全体の緊張力の解放を行うことができる。
【００２１】
請求項６に係る発明は、  緊張力が導入された状態で両端が構造部材に定着され、一部又は全部が構造部材外に張架された緊張材の緊張力を解放する方法であって、  互いに連結することができる２つの中間定着ブロックを、前記緊張材の軸線方向に間隔をおいて互いに対峙させて配置する工程と、  緊張力が導入された前記緊張材に対して、前記中間定着ブロックの双方を、互いに接近する方向へ移動するのを拘束するように固定する工程と、  対峙する前記中間定着ブロックを互いに連結し、これらの中間定着ブロックを互いに接近させる方向に力を作用させて２つの前記中間定着ブロック間で前記緊張材の緊張力が解放又は低減された状態とし、この状態で前記中間定着ブロックの相互間の間隔を保持する工程と、  ２つの前記中間定着ブロック間で前記緊張材を切断する工程と、  ２つの前記中間定着ブロックを互いに連結した状態で、互いに離れる方向に移動させる工程と、を含むことを特徴とする緊張材の緊張力解放方法を提供する。
【００２２】
この緊張材の緊張力解放方法では、緊張力が導入された緊張材の２つの中間定着ブロック間で緊張力を解放又は低減し、この部分で緊張材を切断することができる。また、緊張材の切断後は、切断された緊張材が固定された２つの中間定着ブロックを、互いに離れる方向に移動させて、２本に分割された緊張材のそれぞれの緊張力を解放することができる。
このように、簡易な方法で緊張材の緊張力を解放することができ、作業工程を簡略化できるとともにコストの削減が可能となる。
【００２３】
請求項７に記載の発明は、請求項６に記載の緊張材の緊張力解放方法において、  前記中間定着ブロックを前記緊張材に対して固定する工程は、２つの前記中間定着ブロック間にあらかじめ装着されている２つのリング状部材を、前記中間定着ブロックの互いに対向する面に当接し、それぞれのリング状部材と前記緊張材との間に、前記中間定着ブロックとの当接部と反対側から楔を押し入れるものとする。
【００２４】
この緊張力解放方法では、楔によってリング状部材が緊張材に固定され、中間定着ブロックはリング状部材に突き当てられて緊張材に対して固定される。したがって、緊張力が導入された緊張材に簡単な構造で確実に２つの中間定着ブロックに堅固に定着することができる。
【００２５】
請求項８に係る発明は、請求項６に記載の緊張材の緊張力解放方法において、  前記中間定着ブロックを固定する工程は、複数に分割された楔受け部材の分割部分を、既に緊張力が導入されている前記緊張材の周囲を囲むように配置し、これらを一体に連結した後に、前記緊張材と前記楔受け部材との間に楔を押し込んで前記楔受け部材を前記緊張材に固定し、前記中間定着ブロックを前記楔受け部材に係止するものとする。
【００２６】
この緊張力解放方法では、緊張力を解放することが予定されていなかった緊張材に対し、楔受け部材が固定される。したがって、緊張材を簡単な構造で確実に２つの中間定着ブロックに堅固に定着することができる。
【発明の効果】
【００２７】
以上説明したように、本発明の緊張材の緊張力解放装置及び緊張力解放方法では、緊張材に導入された緊張力を簡易な装置で容易に解放することができる。
【図面の簡単な説明】
【００２８】
【図１】片持ち架設中のプレストレストコンクリート橋、及びこの橋の架設時に用いられ、後に本発明の一実施形態である緊張力解放装置を用いて緊張力の解放が行われる緊張材を示す概略側面図である。
【図２】図１に示す緊張材に装着された緊張力解放装置を示す概略正面図及び概略側面図である。
【図３】図２に示す緊張力解放装置の緊張材を中間定着ブロックに定着させる定着治具を示す概略断面図である。
【図４】図１に示すＰＣ橋に配置された緊張材を緊張材解放装置に案内するガイド部材を示す概略斜視図である。
【図５】図２に示す緊張力解放装置を用いて緊張材の緊張力を解放する工程を示す図である。
【図６】図２に示す緊張力解放装置を用いて緊張材の緊張力を解放する工程を示す図である。
【図７】図２に示す緊張力解放装置を用いて緊張材の緊張力を解放する工程を示す図である。
【図８】本発明の一実施形態である緊張力解放装置を用いて吊り材の緊張力を解放することができる下路式アーチ橋の概略側面図である
【図９】図８に示す下路式アーチ橋の吊り材の緊張力を解放することができる緊張力解放装置の概略正面図である。
【図１０】図９に示す緊張力解放装置で用いられる中間定着ブロックの概略平面図及び概略正面図である。
【図１１】図９に示す緊張力解放装置で用いられる楔受け部材の概略平面図及びＡ−Ａ矢視図である。
【図１２】従来の緊張材の緊張力解放方法を示す概略側面図である。
【図１３】従来の緊張材の緊張力解放方法を示す概略側面図である。
【発明を実施するための形態】
【００２９】
以下、本願発明の実施の形態を図に基づいて説明する。
図１は、片持ち架設中のプレストレストコンクリート橋（ＰＣ橋）、及びこの橋の架設時に用いられ、後に本発明の一実施形態である緊張力解放装置を用いて緊張力の解放が行われる緊張材を示す概略側面図である。
このＰＣ橋は、コンクリートからなる橋桁１を、橋脚２の上部から所定長の施工ブロック３毎に両側方へバランスをとりながら順次に張り出すように形成される。そして、この橋桁１は、他の橋脚上から対向するように張り出された橋桁（図示しない）と連結され、ラーメン構造となるものである。そして、張り出し施工中の橋桁１に作用する曲げモーメントに対応するために緊張材５が配置され、この緊張材５を緊張して橋桁のコンクリートに定着される。これにより、コンクリートにプレストレスが導入されて過大な引張応力がコンクリートに生じるのを抑えるものとなっている。
【００３０】
このようなラーメン構造の橋桁１を張り出し架設すると、両側から張り出された橋桁１を支間中央部で連結する直前に、橋脚２上で大きな負の曲げモーメントが作用する。これに対し、支間中央部が連結された後の構造系では、支間中央部で正の曲げモーメントに抵抗することができ、橋脚２上の負の曲げモーメントを低減することができる。したがって、上記ＰＣ橋では、張り出し架設中に橋桁１の上縁付近に配置された緊張材５の一部について、支間中央部が連結された後に、緊張力の解放を行うものとなっている。
【００３１】
本実施の形態で緊張力が解放される上記緊張材５には、外径が１５．２ｍｍの鋼より線６を６本束ねたものが用いられている。この緊張材５は、橋脚２の上部から両側方に張り出し施工された橋桁の上部７に埋め込まれた筒状のシース内に挿通される。そして、橋脚２の上部付近では上方へ曲げ上げられて橋桁の上面より上方のコンクリート部材外に引き出され、上面に沿って配置されている。この緊張材５の両端部は施工ブロック３ｄの端部で緊張力が導入され、定着具８を用いて施工部ブロック３ｄのコンクリートに定着されている。
【００３２】
上記緊張材５に緊張力が導入され、その両端が施工ブロック３ｄの端部付近でそれぞれ定着具８を用いて定着された後は、さらに次の施工ブロック３ｅがこの施工ブロック３ｄの先端に接続されて順次に張り出し施工される。
なお、上記定着具８と対向して配置される施工ブロック３ｅには、定着具８と対向する切り欠き４が設けられる。この切り欠き４は、緊張材５の緊張力が解除されたときに、定着具８による緊張材の把持を解放するために設けられたものであり、例えば緊張材を楔で定着するものでは、楔を除去して緊張材の定着を解放することができる程度の大きさとなっている。したがって、この切り欠き４は、緊張用のジャッキ等を装着するための切り欠きよりも小さなものでよい。
【００３３】
このようにして、施工ブロックが順次形成され、片持ち状となった橋桁１の先端部が反対側から張り出してきた橋桁と連結され、一連の橋桁となった後に上記緊張材５の緊張力が本発明の一実施形態である緊張力解放装置２０を用いて解放される。
【００３４】
上記緊張力解放装置２０は、橋脚付近の緊張材がコンクリート部材外に配置された部分に設けられ、図２に示すように、中間定着ブロックである第１の鋼ブロック２１及び第２の鋼ブロック３１と、これら２つの鋼ブロック間に配置されて、これらの鋼ブロックを互いに近接する方向へ移動するのを拘束する固定手段としての定着治具２５，３５と、上記鋼ブロックを連結するＰＣ鋼棒４０とこのＰＣ鋼棒４０を鋼ブロック２１，３１に係止させる定着ナット４１とからなる連結手段と、で主要部が構成されている
なお、図２（ｂ）において、緊張材５である鋼より線６は、便宜上一部を省略して示している。
【００３５】
上記第１の鋼ブロック２１及び第２の鋼ブロック３１は、鋼から形成された厚板状の部材であって、これらは同じ形状及び同じ寸法の部材となっている。これらの鋼ブロック２１，３１の板状面の中央部には６本の鋼より線６をそれぞれ別個に挿通する６つの貫通孔２３，３３が独立して形成されている。そして、緊張力が導入される前の鋼より線６が上記貫通孔２３，３３に挿通され、２つの鋼ブロック２１，３１が間隔を置いて対峙するように配置されるものである。また、上記貫通孔２３，３３の周囲には、上記ＰＣ鋼棒４０を挿通する３つの連結用孔２４，３４が形成されており、鋼ブロック２１、３１に挿通された６本の鋼より線６を囲むように、３本のＰＣ鋼棒４０を配置することができるようになっている。
この鋼ブロック２１，３１の外周縁の形状は正三角形の頂角部分を丸く削り落とした形状となっており、上記連結用孔２４，３４は丸くなった突状部分に設けられている。
【００３６】
上記定着治具２５，３５は、図３に示すように、鋼からなるリング状部材２６，３６と、このリング状部材２６，３６と鋼より線６との間に押し入れられる楔２７，３７と、で構成されている。架設中の橋桁に沿って緊張材６が張架されるときには、リング状部材２６，３６のみが前もって鋼より線６に挿通されて、第１の鋼ブロック２１と第２の鋼ブロック３１との間で、それぞれの鋼ブロックの内側面近傍に配置されている。
上記楔２７，３７は、４分割されており、これらを周方向に配列するとともに、それぞれの間に隙間をあけてリング状部材２６，３６と鋼より線６との間に挿入できるようになっている。そして、２つの鋼ブロック２１，３１がリング状部材とともに互いの間隔を狭めるように移動すると、リング状部材２６，３６と緊張材６との間に押し入れられて、リング状部材を緊張材５に固定する。これにより、２つの鋼ブロック２１，３１はリング状部材に突き当てられて緊張材に対する位置が固定され、２つの鋼ブロック２１，３１の互いに接近する方向への移動を拘束するようになっている。
なお、楔は４分割されたものに限定する必要はなく、複数に分割されて互いに間隙を設けてリング状部材と鋼より線の間に挿入できる形状のものであればよい。また、定着治具は他の公知の治具を採用することもできる。
【００３７】
上記ＰＣ鋼棒４０は、全長にわたってネジが切られている全ねじ鋼棒を使用することができる。そして、緊張材５の緊張力を解放するときに、第１の鋼ブロック２１と第２の鋼ブロック３１とを連結するようにそれぞれの鋼ブロック２１，３１の連結用孔２４，３４に挿通されるものである。
上記定着ナット４１は、互いに対向する第１の鋼ブロック２１と第２の鋼ブロック３１との外側でＰＣ鋼棒４０をそれぞれの鋼ブロック２１，３１に係合するようにＰＣ鋼棒４０に螺合される。
なお、ＰＣ鋼棒４０は全ねじ鋼棒に限定されるものではなく、少なくとも定着ナット４１が螺合される部分にねじが設けられていればよい。
【００３８】
上床版７に埋設されている上記緊張材５が、橋脚上付近で橋桁のコンクリート内から上方へ引き出される部分には、第１のケーブル導出口７ａ及び第２のケーブル導出口７ｂが設けられており、これらのケーブル導出口から緊張材５が曲げ上げられて橋桁の上側に配置される。そして、これらのケーブル導出口７ａ，７ｂから鋼より線６が引き出された部分には、図４に示すガイド部材９がそれぞれ備えられ、ケーブル導出口７ａ，７ｂから橋桁の上方に曲げ上げられた各鋼より線６を橋桁上に配置された鋼ブロック２１，３１の貫通孔２３，３３に導くようになっている。
【００３９】
また、緊張材が上記ケーブル導出口７ａ，７ｂから引き出される前のコンクリート内に配置される部分では、上方へ曲げ上げられた緊張材５に緊張力が導入されたときに、シース内の上面に上方へ押し上げる力が作用する。このため、コンクリート内に埋設された緊張材５から作用する上方への力に抵抗する補強筋を、鋼より線が配置されるシースの周囲に配置することが望ましい。
【００４０】
次に、このような緊張力解放装置２０を用いて緊張材の緊張力を解放する方法について説明する。
図５から図７は、緊張材の緊張力を解放する工程を示す概略側面図である。
なお、これらの図についても、便宜上６本の鋼より線のうち中段の２本の鋼より線の表示を省略している。
上記緊張力解放装置２０の鋼ブロック２１，３１及びリング状部材２６，３６は、図５（ａ）に示すように、緊張材である鋼より線６が配置されるときに橋桁１上に配置し、鋼ブロック２１，３１の貫通孔２３，３３及びリング状部材２６，３６内に鋼より線６を挿通しておく。そして、鋼より線６に緊張力が導入され、橋桁１にプレストレスが導入される。
【００４１】
橋桁１の構築が進行して緊張材５の緊張力を解放するときには、図５（ｂ）に示すように、ＰＣ鋼棒４０を２つの鋼ブロック２１，３１に形成された連結用孔２４，３４にそれぞれ挿通し、対峙する２つの鋼ブロック２１，３１の外側でＰＣ鋼棒４０が連結用孔２４，３４から抜け出さないように定着ナット４１を螺合する。また、リング状部材２６，３６と鋼より線６との間には楔２７，３７を挿入する。
なお、本実施の形態では、鋼ブロック２１，３１の連結用孔に挿通したＰＣ鋼棒４０の両端に定着ナット４１を螺合しているが、ＰＣ鋼棒の一方の端部には拡径された頭部を一体に形成し、この頭部を一方の鋼ブロックに係止してもよい。
【００４２】
このように緊張力解放装置２０が装着されると、図６（ａ）に示すように、ＰＣ鋼棒４０の一端にＰＣ鋼棒用のセンターホールジャッキ５０をＰＣ鋼棒のそれぞれについて装着し、ＰＣ鋼棒４０に緊張力を導入する。これにより、第２の鋼ブロック３１がセンターホールジャッキ５０の反力を負担し、２つの鋼ブロックに２１，３１には図６（ａ）中に示す矢印Ａ，Ｂの方向に力が作用する。そして、２つの鋼ブロック２１，３１は、リング状部材２６，３６とともに互いに接近する方向に移動し、リング状部材２６，３６と鋼より線６の間に楔２７，３７が強く押し入れられる。これにより、リング状部材２６，３６は鋼より線６に強固に固定され、２つの鋼ブロック２１，３１も鋼より線に対して移動するのが拘束される。
【００４３】
さらに、ＰＣ鋼棒４０に緊張力が導入されると、２つの鋼ブロック２１，３１を互いに接近させる方向の力によってこれらの鋼ブロック２１，３１間における鋼より線６の緊張力が低減される。つまり、鋼より線６に導入されていた緊張力はＰＣ鋼棒４０に負担され、ＰＣ鋼棒４０の緊張力に置き換えられる。これにより、緊張力解放装置２０の両側で鋼より線６に導入されている緊張力は鋼ブロック２１，３１を介してＰＣ鋼棒４０に伝達され、２つの鋼ブロック間で鋼より線６の緊張力は低減又は解放された状態となる。
【００４４】
このように鋼ブロック２１，３１間の鋼より線６の緊張力が解放されると、図６（ｂ）に示すように、鋼ブロック間で鋼より線６を切断することができる。つまり鋼より線６を切断しても、緊張力が急激に他の部材に負荷される衝撃が生じない。そして、切断された鋼より線６は、それぞれ鋼ブロック２１，３１と橋桁のコンクリートとに両端が定着された状態となる。
【００４５】
次に、ＰＣ鋼棒の緊張側に螺合された定着ナットを緩めるように回転させるとともに、ＰＣ鋼棒用のセンターホールジャッキ５０をゆっくり減圧する。これにより、図７に示すように、２個の鋼ブロック２１，３１は互いに離れる方向に移動し、２本に分割された鋼より線６のそれぞれの緊張力が徐々に解放される。そして、緊張力が解放されると橋桁１のコンクリートに緊張材５である鋼より線を定着していた定着具８を切り欠き４内で取り外し、緊張材を除去することが可能となる。
【００４６】
このように、本実施の形態では、複数の鋼より線６を束ねた緊張材５の緊張力を、大型の緊張用ジャッキを使用することなく、ＰＣ鋼棒用のセンターホールジャッキ５０により解放することが可能となる。これにより、作業効率が向上し、作業日程の短縮およびコストの低減が可能となる。
また、緊張材５を再度緊張する場合は、センターホールジャッキ５０を用いてＰＣ鋼棒４０を緊張することにより、２つの鋼ブロック２１，３１間で分断された緊張材のそれぞれに再び緊張力を導入することができる。
【００４７】
なお、本実施の形態では、緊張材として６本の鋼より線を束ねたものを用いたが、鋼線を束ねたものを使用することもできるし、束ねる鋼より線又は鋼線の数や径が異なる場合も、鋼ブロック、リング状部材、楔の形状寸法を適宜に設計することにより対応することができる。
また、鋼ブロックの材料、形状、鋼ブロックに形成された貫通孔及び連結用孔の配置等も適宜に変更可能である。
【００４８】
一方、上記実施の形態では、上記中間定着ブロックを緊張材に固定するために、楔を装着するための部材としてリング状部材を用い、緊張材に固定されたリング状部材に中間定着ブロックを突き当てているが、中間定着ブロックに設けられた貫通孔を内径が変化するものとしておき、楔を中間定着ブロックに形成された貫通孔の内周面と緊張材との間に押し入れるものであっても良い。
【００４９】
次に、本発明の第２の実施形態について説明する。
図８は、本発明の第２の実施形態である緊張力解放装置を用いることができる橋梁を示す概略側面図である。
この橋梁は、コンクリートからなる下路式のアーチ橋であり、アーチリブ６１と桁６２とが両端部で一体に接合されている。そして、桁６２はアーチリブ６１から吊り材６３によって吊り支持されている。上記吊り材６３には鋼棒が用いられており、経年劣化に対する補修又は補強のために吊り材６３を交換する必要が生じ、吊り材６３に導入されている緊張力を一旦解放して吊り材６３の交換が行われる。この吊り材６３の緊張力を解放するために本発明の一実施形態である緊張力解放装置を用いることができ、その構成は次のようになっている。
【００５０】
この緊張力解放装置７０は、図９に示すように、両端がアーチリブ６１及び桁６２にそれぞれ定着された緊張材である吊り材６３の中間部分に装着される２つの中間定着ブロック７１，８１と、２つの中間定着ブロック７１，８１の固定手段として機能する楔７２，８２および楔受け部材７３，８３と、２つの中間定着ブロック７１，８１を互いに連結する連結鋼棒７４と、連結鋼棒を中間定着ブロックに係止するナット７５とで主要部が構成されている。
【００５１】
上記中間定着ブロック７１，８１は鋼からなるものであり、図１０に示すように、吊り材６３と直角に支持される厚板７１ａ，８１ａ（例えば厚さが５０ｍｍ）にＵ字状の切り欠き７１ｂ，８１ｂを設け、この切り欠き内に吊り材６３を嵌め入れるようになっている。そして、Ｕ字状の切り欠き内に挿入される小ブロック７１ｃ，８１ｃが取り付けられた接続プレート７１ｄ，８１ｄを、上記厚板の切り欠きが設けられた縁辺に沿ってボルト７１ｅ，８１ｅで接合し、吊り材がＵ字状の切り欠き内で位置が規制されるものとなっている。また、上記Ｕ字状の切り欠き７１ｂ，８１ｂの両側部には、上記厚板の厚さ方向に連結用孔７１ｆ，８１ｆが設けられており、この連結用孔に連結鋼棒７４を挿通し、連結鋼棒７４に螺合されたナット７５を厚板７１ａ，８１ａに係止するものとなっている。
上記厚板７１ａ，８１ａは、Ｕ字状の切り欠きを設けることによって断面の欠損が生じており、断面が狭窄された位置の両側に渡って厚板を補強する補強リブ７１ｇ，８１ｇが設けられている。
【００５２】
楔受け部材７３，８３は、２つの中間定着ブロック７１，８１のそれぞれに対して設けられ、２つの中間定着ブロックの互いに対向する側の面と当接するように吊り材６３に装着されるものである。これらの楔受け部材７３，８３は、１対の厚板部材７３ａ，８３ａを接合して形成されており、それぞれの厚板部材に設けられたボルト孔７３ｂ，８３ｂにボルト７３ｃ，８３ｃを挿通し、これらのボルトを締め付けて１対の厚板部材７３ａ，８３ａを一体にするものである。これらの厚板部材には、互いに対向する位置に凹部７３ｄ，８３ｄが設けられ、接合されたときに吊り材６３が挿通される貫通孔７３ｅ，８３ｅを形成するものとなっている。形成された貫通孔７３ｅ，８３ｅは中間定着ブロックと接触する側から反対側に掛けて内径が拡大するものとなっており、この貫通孔７３ｅ，８３ｅに後述する楔７２，８２が押し入れられる。
【００５３】
上記楔７２，８２は２つに分割されており、装着された楔受け部材７３，８３と吊り材６３との間に押し入れることができるものとなっている。この楔７２，８２の吊り材６３と接触する内面には、吊り材６３の周方向に連続する小さな凸部が多数設けられており、吊り材６３に対して滑り難くなっている。この楔７２，８２は、楔受け材７３，８３に対して中間定着ブロック７１，８１と接触する面の反対側すなわち貫通孔７３ｅ，８２ｅの内径が拡大された側から押し入れることができる。そして、中間定着ブロック７１，８１と楔受け部材７３，８３とが他方の中間定着ブロックに接近する方向に移動しようとすると楔７２，８２が楔受け材７３，８３と吊り材６３との間に強く押し入れられる。これにより、楔受け部材７３，８３は吊り材６３に固着され、中間定着ブロック７１，８１が互いに接近する方向に移動するのを拘束するようになっている。
【００５４】
上記連結鋼棒７４は、一対の上記中間定着ブロック７１，８１に形成された連結用孔７１ｆ，８１ｆに挿通され、２つの中間定着ブロック７１，８１の対向面と反対側の面に当接するようにナット７５が螺合される。そして、これらの連結鋼棒７４はセンターホールジャッキ７６によって緊張力を導入することができるものである。連結鋼棒７４は、緊張力の導入によって２つの中間定着ブロック７１，８１に互いに接近する方向の力を作用させるとともに、ナット７５を締め付けて緊張力が導入された状態を維持することができるものとなっている。
【００５５】
このような緊張力解放装置７０では、緊張力が作用している吊り材６３に対して中間定着ブロック７１，８１と楔受け部材７３，８３を装着し、連結鋼棒７４で２つの中間定着ブロックを連結して、これらの中間定着ブロック７１，８１に互いに接近する方向の力を付与することができる。これにより吊り材６３の緊張力は、２つの中間定着ブロック間で解放され、この部分で吊り材６３を切断しても構造部材に大きな衝撃力が作用することはない。吊り材６３が切断された後は、連結鋼棒７４に螺合されたナットを緩めながらセンターホールジャッキ７６の牽引力を解除してゆくことにより、吊り材６３の緊張力が全長にわたって解放される。緊張力が解放された吊り材は撤去して新たな緊張材の装着及び緊張力の導入によって、吊り材６３を交換することができる。
【００５６】
なお、図８に示すようにアーチリブ６１から桁６２を吊り支持している吊り材６３の緊張力を解放するにあたっては、吊り材６３に平行して仮支持緊張材を配置するか、又は桁を地盤状から支持する仮支柱（図示しない）を設けて桁６２を支持するのがよい。また、仮支持緊張材に緊張力を導入するか仮柱上で桁６２をジャッキアップすることによって吊り材６３の緊張力を低減しておくのが望ましい。これにより、２つの中間定着ブロック７１，８１の装着後、連結鋼棒７４を緊張したときに吊り材６３に過大な緊張力が作用するのを抑制することができる。
【符号の説明】
【００５７】
１：橋桁、    ２：橋脚、    ３：施工ブロック、    ４：施工ブロックの切り欠き、    ５：緊張材、    ６：鋼より線、    ７：橋桁のコンクリート内から緊張材が上方へ引き出される部分、  ８：定着具、    ９：ガイド部材、
２０：緊張力解放装置、    ２１：第１の鋼ブロック、    ２３：第１の鋼ブロックの貫通孔、    ２４：第１の鋼ブロックの連結用孔、    ２５：第１の鋼ブロック側の定着治具、    ２６：第１の鋼ブロック側の定着治具のリング状部材、    ２７：第１の鋼ブロック側の定着治具の楔、
３１：第２の鋼ブロック、    ３３：第２の鋼ブロックの貫通孔、    ３４：第２の鋼ブロックの連結用孔、      ３５：第２の鋼ブロック側の定着治具、    ３６：第２の鋼ブロック側の定着治具のリング状部材、    ３７：第２の鋼ブロック側の定着治具の楔、
４０：ＰＣ鋼棒、    ４１：定着ナット、
５０：ＰＣ鋼棒用のセンターホールジャッキ
６１：アーチリブ、    ６２：桁、    ６３：吊り材、
７０：緊張力解放装置、    ７１，８１：中間定着ブロック、    ７１ａ，８１ａ：厚板、７１ｂ，８１ｂ：Ｕ字状の切り欠き、    ７１ｃ，８１ｃ：小ブロック、    ７１ｄ，８１ｄ：接続プレート、    ７１ｅ，８１ｅ：ボルト、    ７１ｆ，８１ｆ：連結用孔、  ７１ｇ，８１ｇ：補強リブ、    ７２，８２：楔、    ７３，８３：楔受け部材、    ７３ａ，８３ａ：厚板部材、    ７３ｂ，８３ｂ：ボルト孔、    ７３ｃ，８３ｃ：ボルト、    ７３ｄ，８３ｄ：凹部、    ７３ｅ，８３ｅ：貫通孔、    ７４：連結鋼棒、    ７５：ナット、    ７６：センターホールジャッキ
【図１】
0005427657.tif 000002
【図２】
0005427657.tif 000003
【図３】
0005427657.tif 000004
【図４】
0005427657.tif 000005
【図５】
0005427657.tif 000006
【図６】
0005427657.tif 000007
【図７】
0005427657.tif 000008
【図８】
0005427657.tif 000009
【図９】
0005427657.tif 000010
【図１０】
0005427657.tif 000011
【図１１】
0005427657.tif 000012
【図１２】
0005427657.tif 000013
【図１３】
0005427657.tif 000014